(57)【要約】【課題】部品点数を少なくしつつ、構造を簡素化して、容易に容器内の液体を外部に吐出させることが可能な液吐出装置を提供する。【解決手段】液吐出装置１は、液体が貯溜される容器５と、該容器５内にエアを噴出するポンプ部材６と、該ポンプ部材６からのエアの噴出により、容器５内から押し出される液体を外部に導くノズル部材７と、を備えている。これにより、部品点数を少なくしつつ、構造を簡素化して、容易に容器５内の液体を外部に吐出させることができる。【選択図】  図２
0003233385.tif 000002
【実用新案登録請求の範囲】
【請求項１】
液体が貯溜される容器と、
該容器内にエアを噴出するポンプ部材と、
該ポンプ部材からのエアの噴出により、前記容器内から押し出される液体を外部に導くノズル部材と、を備え、
前記ポンプ部材は、伸縮することでその内部からエアを吸排可能なポンプ本体部を有することを特徴とする液吐出装置。
【請求項２】
前記容器の口部に嵌合するキャップ部材を備え、
前記ポンプ部材の筒状噴出部が、前記キャップ部材に挿通され、
前記ノズル部材は、前記キャップ部材に挿通され、その両端部が容器の内外に位置することを特徴とする請求項１に記載の液吐出装置。
【請求項３】
前記容器は、外容器内に配置され、前記容器と前記外容器とが別体に構成されることを特徴とする請求項１または２に記載の液吐出装置。
【請求項４】
前記容器は、紙製容器であることを特徴とする請求項１〜３いずれかに記載の液吐出装置。
【請求項５】
前記ポンプ本体部は、蛇腹状に形成され、
該ポンプ本体部は、前記外容器を上方から覆うカバー部材に設けた、上方に開口した円筒状部内に配置されることを特徴とする請求項３または４に記載の液吐出装置。
【請求項６】
前記ノズル部材は、複数箇所に屈曲自在な蛇腹部を有することを特徴とする請求項１〜５いずれかに記載の液吐出装置。
【考案の詳細な説明】
【技術分野】
【０００１】
本考案は、うがい薬や消毒液等の液体を外部に吐出させるための液吐出装置に関するものである。
【背景技術】
【０００２】
一般に、液吐出装置として、消毒液、シャンプー、ボディソープ等の液体を手押し操作にて少量吐出させるものが市場に流通している。これらの液体吐出装置には、通常、押し下げヘッド式のポンプが採用されている。
【０００３】
この押し下げヘッド式ポンプとしては、容器内へ垂下させた下端内部に吸い込み弁を設けてなるシリンダと、該シリンダ内に嵌合させた環状ピストンを外周下部に突設してシリンダ内を上方付勢状態で上下動可能に装着させたステムと、該ステム上端に装着させたノズル付き押し下げヘッドと、上記ステム内上部に設けた吐出弁と、上記ステム及び押し下げヘッドとからなる上下動部材を常時上方へ付勢させるコイルスプリングと、を備え、前記上下動部材を上下動させることにより、容器内の液体を吸い込み弁によりシリンダ内へ吸い上げるとともに、シリンダ内の液体をステムより吐出弁を介してノズル先端より噴出する如く構成してなるものがある（特許文献１参照）。
【先行技術文献】
【特許文献】
【０００４】
【特許文献１】特開平８−２６８４５８号公報
【考案の概要】
【考案が解決しようとする課題】
【０００５】
しかしながら、特許文献１に記載の押し下げヘッド式のポンプは、その構造が複雑であって、吸い込み弁や吐出弁、コイルスプリングが内蔵されており、部品点数が多数であり好ましくない。このポンプには、コイルスプリング等の金属部品も内蔵されており、廃棄する際の分別等にも手間を要する。また、特許文献１に記載の押し下げヘッド式のポンプでは、使用後の液だれが懸念される。
【０００６】
本考案は、かかる点に鑑みてなされたものであり、部品点数を少なくしつつ、構造を簡素化して、容易に容器内の液体を外部に吐出させることが可能な液吐出装置を提供することを目的とする。
【課題を解決するための手段】
【０００７】
上記課題を解決するための手段として、請求項１に記載した考案は、液体が貯溜される容器と、該容器内にエアを噴出するポンプ部材と、該ポンプ部材からのエアの噴出により、前記容器内から押し出される液体を外部に導くノズル部材と、を備え、前記ポンプ部材は、伸縮することでその内部からエアを吸排可能なポンプ本体部を有することを特徴とする。
請求項１の考案では、使用者が容器内の液体を使用する際には、ポンプ部材からエアを容器内に噴出させることで、容器内の液体が空気圧によって押し出され、ノズル部材内を経由して外部に吐出される。また、容器内の液体を外部に吐出させる際には、単に、使用者が、ポンプ本体部の上面を押す操作を行えばよく、使い勝手が非常に良好となる。さらに、容器内の液体を使用した後にポンプ本体部が復元する際には、容器内が負圧となるために、ノズル部材内で外部に吐出されなかった微量の液体が速やかに容器内に吸引されることで、液だれを抑制することができる。そして、請求項１の考案に係る液吐出装置は、少なくとも、容器と、ポンプ部材と、ノズル部材とを備えているだけであり、部品点数を少なくしつつ、その構造を簡素化することができ、その組立作業も容易となり、コスト低減に繋がる。
【０００８】
請求項２に記載した考案は、請求項１に記載した考案において、前記容器の口部に嵌合するキャップ部材を備え、前記ポンプ部材の筒状噴出部が、前記キャップ部材に挿通され、前記ノズル部材は、前記キャップ部材に挿通され、その両端部が容器の内外に位置することを特徴とする。
請求項２の考案では、容器の口部に嵌合するキャップ部材を備えているので、容器内を容易に密閉状態にすることができる。その結果、ポンプ部材からのエアの噴出により、容器内の液体に大きな空気圧を付与することができる。
【０００９】
請求項３に記載した考案は、請求項１または２に記載した考案において、前記容器は、外容器内に配置され、前記容器と前記外容器とが別体に構成されることを特徴とする。
請求項３の考案では、容器内の液体を使い切ると、容器を外容器内から容易に取り除くことができ、その後、液体が内部に貯溜された新品の容器を容易に外容器内に装着することができる。これにより、容器内の液体を使い切った際、液体が貯溜された新品の容器に容易に取り換えることができる。しかも、外容器、ポンプ部材及びノズル部材は、容器内の液体を使い切った後何度でも再使用可能であるので、プラスチック製品のゴミ増加を抑制でき、ひいては、プラスチック製品による環境汚染を抑制することができる。
【００１０】
請求項４に記載した考案は、請求項１〜３いずれかに記載した考案において、前記容器は、紙製容器であることを特徴とする。
請求項４の考案では、プラスチック製品のゴミ増加を抑制でき、ひいては、プラスチック製品による環境汚染を抑制することができる。
【００１１】
請求項５に記載した考案は、請求項３または４に記載した考案において、前記ポンプ本体部は、蛇腹状に形成され、該ポンプ本体部は、前記外容器を上方から覆うカバー部材に設けた、上方に開口した円筒状部内に配置されることを特徴とする。
請求項５の考案では、ポンプ本体部が、カバー部材の円筒状部によりガイドされているので、使用時、使用者がポンプ本体部の上面を押す際にポンプ本体部の傾倒を抑制でき、ポンプ本体部を軸方向に沿って正常に伸縮させることができる。その結果、ポンプ部材からエアを容器内に正常に噴出させて、容器内の液体を空気圧によって正常に外部に吐出させることができる。
【００１２】
請求項６に記載した考案は、請求項１〜５いずれかに記載した考案において、前記ノズル部材は、複数箇所に屈曲自在な蛇腹部を有することを特徴とする。
請求項６の考案では、ノズル部材を、各蛇腹部を介して屈曲自在にすることができ、その結果、ノズル部材の、容器内に位置する一端部と、容器の外部に位置する他端部との位置関係を自在に設定可能であるので、ノズル部材の組み込みが容易となる。
【考案の効果】
【００１３】
本考案の液吐出装置によれば、部品点数を少なくしつつ、構造を簡素化して、容易に容器内の液体を外部に吐出させることができる。
【図面の簡単な説明】
【００１４】
【図１】図１は、本考案の実施形態に係る液吐出装置の外観斜視図である。
【図２】図２は、本考案の実施形態に係る液吐出装置の断面図である。
【図３】図３は、本考案の実施形態に係る液吐出装置に採用される内蓋部材の外観斜視図である。
【図４】図４は、本考案の実施形態に係る液吐出装置に採用されるカバー部材の外観斜視図である。
【考案を実施するための形態】
【００１５】
以下、本考案を実施するための形態を図１〜図４に基づいて詳細に説明する。
図１及び図２に示すように、本考案の実施形態に係る液吐出装置１は、容器５に貯溜されている、うがい薬や消毒液等の液体を外部に適量吐出させるものである。本実施形態に係る液吐出装置１は、外容器４と、該外容器４内に配置され、内部に液体が貯溜される容器５と、該容器５内にエアを噴出するポンプ部材６と、該ポンプ部材６からのエアの噴出により、容器５内から押し出される液体を外部に導くノズル部材７と、外容器４の上端開口を塞ぐように着脱自在に装着される内蓋部材８と、外容器４の全体を上方から覆う、具体的には内蓋部材８の全体を上方から覆うように装着されるカバー部材９と、を備えている。
【００１６】
図１及び図２に示すように、外容器４は、上面が開放された直方体状に形成される。外容器４は、合成樹脂製である。外容器４内に、容器５が配置される。容器５も、外容器４と同様に、直方体状に形成される。容器５内に液体が貯溜される。容器５は、耐水性に優れた紙製容器である。容器５は、紙製容器であるが、内部に貯溜される液体の性状に伴ってある程度剛性を有するものである。容器５の上壁部には、内部と連通する円筒状ねじ部１３が上方に向かって突設される。円筒状ねじ部１３は、合成樹脂製である。円筒状ねじ部１３の外周面には、雄ねじ部が形成される。
【００１７】
キャップ部材１６は、合成樹脂製である。キャップ部材１６の胴部の内周面には、雌ねじ部が形成される。容器５の円筒状ねじ部１３の雄ねじ部に、キャップ部材１６の雌ねじ部が緊密に螺合される。キャップ部材１６の天端部には、後述するポンプ部材６の円筒状噴出部４５が挿通されるポンプ用挿通孔１９と、後述するノズル部材７の縦ノズル部５２が挿通されるノズル用挿通孔２０とが形成される。キャップ部材１６と、後述する内蓋部材８の開口部２６と、後述するカバー部材９の円筒状部４１とは同心状に位置する。
【００１８】
図２及び図３に示すように、外容器４の上端には、その上端開口を塞ぐための内蓋部材８が嵌合される。内蓋部材８は、合成樹脂製である。内蓋部材８は、板状に形成される。内蓋部材８は、外容器４の上端開口を塞ぐ矩形板状部２３と、該矩形板状部２３の一辺から連続して水平方向に延びる半円板状部２４と、から構成される。矩形板状部２３の平面視略中央には、開口部２６が形成される。開口部２６は平面視円形状に形成される。矩形板状部２３及び半円板状部２４には、開口部２６から連続して半円板状部２４の先端に向かって、その先端に近接する位置まで直線状に延びる所定幅のスリット部２８が形成される。
【００１９】
矩形板状部２３の外周縁よりも若干内側の位置から下方に向かって角筒状嵌合部３１が垂設される。なお、半円板状部２４側に位置する角筒状嵌合部３１の一辺には、スリット部２８と直交するようにスリット部２９が上下方向に沿って形成されている。当該角筒状嵌合部３１が、外容器４の上端開口内に嵌合される。また、内蓋部材８（矩形板状部２８及び半円板状部２４）には、その外周端より若干内側の位置から上方に向かって筒状嵌合部３４が立設される。
【００２０】
図２及び図４に示すように、内蓋部材８の全体を上方から覆うようにカバー部材９が配置される。カバー部材９は、合成樹脂製である。カバー部材９は、内蓋部材８と同じ平面視形状に形成される板状天端部３７と、該板状天端部３７の外周縁から下方に一体的に垂設される筒状被覆部３８と、を備えている。板状天端部３７には、内蓋部材８の矩形板状部２３に設けた開口部２６と同心状の位置に、上方に開口した円筒状部４１が上方に向かって突設される。そして、カバー部材９の筒状被覆部３８が、内蓋部材８の筒状嵌合部３４の周りに密接するように嵌合される。カバー部材９の円筒状部４１内から内蓋部材８の開口部２６を経て容器５内に至る範囲にポンプ部材６が配置される。
【００２１】
ポンプ部材６は、合成樹脂製である。図２に示すように、ポンプ部材６は、蛇腹状に形成され、伸縮することでその内部からエアを吸排可能であるポンプ本体部４４と、ポンプ本体部４４内と連通して、該ポンプ本体部４４からのエアを容器５内に噴出する円筒状噴出部４５と、から構成される。ポンプ本体部４４は、縦長であって、所定の外径を有する蛇腹状に形成される。ポンプ本体部４４は、軸方向に沿って伸縮自在である。ポンプ部材６のポンプ本体部４４が、カバー部材９の円筒状部４１内に配置される。ポンプ本体部４４の伸縮していない初期状態の軸方向に沿う長さ寸法と、カバー部材９の円筒状部４１の軸方向に沿う長さ寸法（高さ寸法）とは略同じである。
【００２２】
ポンプ本体部４４の外径は、円筒状噴出部４５の外径よりも相当大径である。円筒状噴出部４５の上端には、環状のストッパ部４７が一体的に接続される。ストッパ部４７の外径は、キャップ部材１６のポンプ用挿通孔１９の内径より大径である。円筒状噴出部４５が、キャップ部材１６のポンプ用挿通孔１９に挿通されて、容器５内に配置される。なお、ポンプ部材６の円筒状噴出部４５の下端は、容器５の円筒状ねじ部１３（キャップ部材１６）の下端よりも高い位置に配置される。
【００２３】
そして、使用者が指でポンプ部材６のポンプ本体部４４の上面を押し込むと、ポンプ本体部４４が軸方向に沿って縮小することで、ポンプ本体部４４内のエアが、円筒状噴出部４５から容器５内の液体に向かって噴出される。そこで、容器５の円筒状部４１には、キャップ部材１６が緊密に螺合されているので、容器５内を容易に密閉状態にすることができる。その結果、ポンプ本体部４４から円筒状噴出部４５を経由して容器５内に噴出したエアにより、容器５内の液体に大きな空気圧を付与することができる。
【００２４】
一方、使用者がポンプ部材６のポンプ本体部４４から指を離すと、ポンプ本体部４４内に、容器５内から円筒状噴出部４５を介して空気が吸引されることで、ポンプ本体４４が復元する。ノズル部材７は、合成樹脂製である。図２に示すように、ノズル部材７は、上下方向に延びる縦ノズル部５２と、該縦ノズル部５２の上端から水平方向に延びる横ノズル部５３と、該横ノズル部５３の軸方向端部から下方に向かって延びる先端ノズル部５４と、から構成される。
【００２５】
縦ノズル部５２と横ノズル部５３との間に屈曲自在な第１蛇腹部５６が設けられる。横ノズル部５３と先端ノズル部５４との間にも第２蛇腹部５７が設けられる。そして、横ノズル部５３は、第１蛇腹部５６を介して縦ノズル部５２の延在方向に対して様々な方向に屈曲可能となる。また、先端ノズル部５４は、第２蛇腹部５８を介して横ノズル部５３の延在方向に対して様々な方向に屈曲可能となる。しかも、第１及び第２蛇腹部５６、５７を備えているので、ノズル部材７の折り曲げ箇所でもその内径を一定にすることができ、容器５内の液体の吐出を妨げることはない。なお、本実施形態では、ノズル部材７に、第１及び第２蛇腹部５６、５７として２箇所設けているが、３箇所以上設けてもよい。
【００２６】
縦ノズル部５２の下端部は、容器５内でその底面に近接する位置に配置される。縦ノズル部５２は、そのキャップ部材１６のノズル用挿通孔２０内を経て、その上端部が内蓋部材８とカバー部材９との間に位置する。横ノズル部５３は、内蓋部材８とカバー部材９との間であって、内蓋部材８に設けたスリット部２８の上方付近を、該スリット部２８の延びる方向に沿って延びる。先端ノズル部５４は、内蓋部材８に設けたスリット部２８の一端部（開口部２６側とは反対側端部）内を挿通して、その先端吐出口が内蓋部材８から下方に突出される。なお、ノズル部材７の外径は、内蓋部材８に設けたスリット部２８の幅長よりも小さく設定され、その内径は、０．５ｍｍ〜１．５ｍｍの範囲内で適宜設定される。
【００２７】
そして、図１及び図２を参照して、本実施形態に係る液吐出装置１を組み立てる際には、まず、外容器４内に、内部に液体が貯溜された容器５を配置する。このとき、容器５の円筒状ねじ部１３には、予めキャップ部材１６が螺合された状態である。続いて、外容器４の上端開口上に内蓋部材８の矩形板状部２３が配置されるように、外容器４上に内蓋部材８を配置する。続いて、外容器４の上端開口の内側に内蓋部材８（矩形板状部２３）の角筒状嵌合部３１を互いに密着するように嵌合する。すると、外容器４の上端開口が内蓋部材８により閉塞されて組み付けられる。
【００２８】
次に、ノズル部材７の縦ノズル部５２を、内蓋部材８の開口部２６を介して、キャップ部材１６のノズル用挿通孔２０に挿通しつつ、横ノズル部５３を、内蓋部材８のスリット部２８上を該スリット部２８に沿って延びるように配置して、且つ先端ノズル部５４を、内蓋部材８のスリット部２８の一端部（開口部２６側とは反対側端部）内に挿通して組み付ける。
【００２９】
このとき、容器５の円筒状ねじ部１３に螺合されたキャップ部材１６のノズル用挿通孔２０が、内蓋部材８の半円板状部２４側に位置していない場合があるが、その際でも、ノズル部材７の縦ノズル部５２を、キャップ部材１６のノズル用挿通孔２０に挿通した後、横ノズル部５３を、第１蛇腹部５６を介してその先端が内蓋部材８のスリット部２８の一端部（開口部２６側とは反対側端部）に指向するように屈曲させることができる。さらに、先端ノズル部５４を、第２蛇腹部５７を介して自在に屈曲させて、その先端吐出口を、内蓋部材８のスリット部２８の一端部から下方に突出させることができる。
【００３０】
次に、ポンプ部材６の円筒状噴出部４５を、内蓋部材８の開口部２６を介して、キャップ部材１６のポンプ用挿通孔１９に、ストッパ部４７がキャップ部材１６の天端部に当接するまで挿通して組み付ける。続いて、カバー部材９を内蓋部材８の全体を覆うようにして、カバー部材９の筒状被覆部３８を、内蓋部材８の筒状嵌合部３４の外側に互いに密着するように嵌合させつつ、カバー部材９の円筒状部４１内に、ポンプ部材６のポンプ本体部４４が配置されるように組み付ける。このとき、ポンプ部材６のポンプ本体部４４の上面が、カバー部材９の円筒状部４１の上端開口より上方に若干突出するようになる。そして、本実施形態に係る液吐出装置１の組み立てが完了する。
【００３１】
そして、本実施形態に係る液吐出装置１において、容器５内の液体を外部に吐出する際には、使用者が指でポンプ部材６のポンプ本体部４４の上面を押し込む。すると、ポンプ本体部４４が軸方向に沿って縮小することで、ポンプ本体部４４内のエアが、円筒状噴出部４５から容器５内の液体に向かって噴出される。続いて、容器５内では、ポンプ部材６の円筒状噴出部４５からのエアの噴出により、その空気圧が液体に付与され、容器５内の所定量の液体が、空気圧により押し出されるようにしてノズル部材７内に浸入する。
【００３２】
続いて、ノズル部材７内の液体は、その先端ノズル部５４から下方に向かって適量吐出される。一方、使用者がポンプ部材６のポンプ本体部４４から指を離すと、ポンプ本体部４４内には、容器５内から円筒状噴出部４５を介して空気が吸引されることで、ポンプ本体４４が復元する。このとき、容器５内が負圧となるために、ノズル部材７内で外部に吐出されなかった微量の液体が、速やかに容器５内に吸引される。
【００３３】
なお、容器５内の液体を全て使い切った際には、カバー部材９、ポンプ部材６、ノズル部材７及び内蓋部材８を容器５及び外容器４から取り外す。続いて、外容器４内からキャップ部材１６を含む容器５（内部は空）を離脱させる。続いて、内部に液体が貯溜された新品の容器５を外容器４内に配置して、内蓋部材８、ノズル部材７、ポンプ部材６及びカバー部材９を容器５内及び外容器４に組み付ける。
【００３４】
以上説明したように、本考案の実施形態に係る液吐出装置１は、少なくとも、液体が貯溜される容器５と、該容器５内にエアを噴出するポンプ部材６と、該ポンプ部材６からのエアの噴出により、容器５内から押し出される液体を外部に導くノズル部材７と、を備えている。そして、使用者が容器５内の液体を使用する際には、使用者が指でポンプ部材６のポンプ本体部４４の上面を押し込み、ポンプ部材６からエアを容器５内に噴出させることで、容器５内の液体が空気圧によって押し出され、ノズル部材７内を経由して外部に吐出される。
【００３５】
これにより、本考案の実施形態に係る液吐出装置１では、従来（特許文献１に係る押し下げヘッド式のポンプ）のように、吸い込み弁や吐出弁、コイルスプリングを必要とせず部品点数を低減させることができ、その構造を簡素化することができる。また、本考案の実施形態に係る液吐出装置１では、金属部品を採用していないので、廃棄する際の分別等を行う必要もなく、その取り扱いが非常に良好となる。
【００３６】
また、本考案の実施形態に係る液吐出装置１では、金属部品を採用していないので、液体として、醤油やお酢、ソース等の調味料にも適用可能となり、採用できる分野が広がる。しかも、本考案の実施形態に係る液吐出装置１では、部品点数が少なく、構造が簡素化されているので、組立作業も容易となり、コスト低減に繋がる。
【００３７】
さらに、本考案の実施形態に係る液吐出装置１では、ポンプ部材６は、伸縮することでその内部からエアを吸排可能であって、蛇腹状に形成されるポンプ本体部４４を有するので、容器５内の液体を外部に吐出させる際には、単に、使用者が、ポンプ本体部４４の上面を押す操作を行えばよく、使い勝手が非常に良好となる。
【００３８】
一方、使用者がポンプ部材６のポンプ本体部４４の上面から指を離すと、ポンプ本体部４４内に容器５内から円筒状噴出部４５を介して空気が吸引されることで、ポンプ本体部４４が復元する。ポンプ本体部４４が復元する際、容器５内が負圧となるために、ノズル部材７内で外部に吐出されなかった微量の液体が、速やかに容器５内に吸引される。これにより、ポンプ本体部４４を指で押して液体を使用した後、ノズル部材７の先端ノズル部５４からの液だれを抑制することができる。
【００３９】
さらに、本考案の実施形態に係る液吐出装置１では、液体が貯溜される容器５は、外容器４内に配置され、容器５と外容器４とが別体に構成されており、容器５は紙製容器にて構成されている。その結果、容器５内の液体を使い切ると、容器５を外容器４内から容易に取り除くことができる。そして、容器５内の液体を使い切った際、液体が貯溜された新品の容器５に容易に取り換えることができる。
【００４０】
しかも、カバー部材９、ポンプ部材６、ノズル部材７、内蓋部材８及び外容器４は、容器５内の液体を使い切った後何度でも再使用可能であるので、プラスチック製品（合成樹脂製品）のゴミ増加を抑制でき、ひいては、プラスチック製品による環境汚染を抑制することができる。また、容器５は紙製容器であるので、さらに、プラスチック製品のゴミ増加を抑制することができる。
【００４１】
さらにまた、本考案の実施形態に係る液吐出装置１では、蛇腹状のポンプ本体部４４は、外容器４を上方から覆うカバー部材９に設けた円筒状部４１内に配置され、ポンプ本体部４４が円筒状部４１によりガイドされているので、使用時に、使用者がポンプ本体部４４の上面を押す際にポンプ本体部４４の傾倒を抑制でき、ポンプ本体部４４を軸方向に沿って正常に伸縮させることができる。
【００４２】
さらにまた、本考案の実施形態に係る液吐出装置１では、ノズル部材７が、縦ノズル部５２と横ノズル部５３との間に屈曲自在な第１蛇腹部５６が設けられ、横ノズル部５３と先端ノズル部５４との間に屈曲自在な第２蛇腹部５７が設けられて構成される。これにより、本液吐出装置１を組み付ける際、容器５のキャップ部材１６のノズル用挿通孔２０が内蓋部材８の半円板状部２４側に位置していないときでも、ノズル部材７の先端ノズル部５４の先端吐出口を、第１及び第２蛇腹部５６、５７により、内蓋部材８のスリット部２８の一端部から下方に突出させることができ、その組み付けが容易となる。
【００４３】
なお、ポンプ部材６のポンプ本体部４４に、外気を内部に吸引するための吸引孔（図示は省略するが小孔）を設け、使用者が指でポンプ本体部４４の上面を押し込んで軸方向に沿って縮小する際には吸引孔を閉じる一方、使用者の指がポンプ本体部４４の上面から離れた際には、ポンプ本体部４４内への外気の吸入を許容すべく、吸引孔を開放する逆止弁（図示略）を設けてもよい。
【符号の説明】
【００４４】
１  液吐出装置，４  外容器，５  容器，６  ポンプ部材，７  ノズル部材，９  カバー部材，１３  円筒状ねじ部（口部），４１  円筒状部，４４  ポンプ本体部，４５  円筒状噴出部，５６  第１蛇腹部，５７  第２蛇腹部
【図１】
0003233385.tif 000003
【図２】
0003233385.tif 000004
【図３】
0003233385.tif 000005
【図４】
0003233385.tif 000006